(57)【要約】【課題】システム構成を複雑とすることなく費用も低コストで他の制御所の代行運転を行うことができる電力系統監視制御システムを提供することである。【解決手段】相互に代行運転を行う制御所１１Ａ、１１Ｂのうち代行運転される制御所１１Ｂのサーバ１２Ｂの監視制御データ及び代行運転する制御所１１Ａの入出力装置１４Ａからの運転操作データを制御所１１Ａ、１１Ｂ間で送受信する光ケーブル２０Ａ、２０Ｂを設け、代行運転される制御所１１Ｂは卓装置１３Ｂと入出力装置１４Ｂとの接続を切り離して卓装置１３Ｂを送受信器１８Ｂに接続する切替器１３Ｂを有し、代行運転する制御所１１Ａは卓装置１３Ａと入出力装置との接続を切り離して入出力装置１４Ａを送受信器１８Ａに接続する切替器１９Ａを有し、代行運転するＡ制御所１８Ａの入出力装置１４ＡによりＢ制御所１１Ｂを代行運転する。【選択図】  図２
2018133979.tif 000002
【特許請求の範囲】
【請求項１】
電力系統の複数の制御所にそれぞれ設けられ、電力供給エリアごとに監視制御データを有し前記電力供給エリアの電力系統の監視制御を行うサーバと；
前記電力系統の複数の制御所にそれぞれ設けられ前記サーバにＬＡＮ接続され、前記サーバの監視制御データに基づき運転員が電力系統の監視制御の運転を行うための入出力装置を管理する卓装置と；
前記電力系統の複数の制御所のうち相互に代行運転を行う制御所間に設けられ、代行運転される制御所の前記サーバの監視制御データ及び代行運転する制御所の前記入出力装置からの運転操作データを前記制御所間で送受信する光ケーブルと；
前記相互に代行運転を行う制御所に設けられ、前記代行運転される制御所では前記卓装置と前記入出力装置との接続を切り離して前記卓装置を前記送受信器に接続し、前記代行運転する制御所では前記卓装置と前記入出力装置との接続を切り離して前記入出力装置を前記送受信器に接続する切替器とを備えたことを特徴とする電力系統監視制御システム。
【請求項２】
前記光ケーブルは２重化したことを特徴とする請求項１に記載の電力系統監視制御システム。
【発明の詳細な説明】
【技術分野】
【０００１】
本発明は、電力系統の複数の制御所の相互間で代行運転を可能にした電力系統監視制御システムに関する。
【背景技術】
【０００２】
電力系統では電力供給エリアごとに複数の制御所が設けられ、電力供給エリアごとに電力系統の監視制御が行われている。各々の制御所には、電力供給エリアの電力系統の監視制御を行う電力系統監視制御システムが設けられ、電力系統監視制御システムは、電力系統の監視制御を行うためのサーバと、サーバに対して運転員が電力系統の監視制御の運転を行う卓装置とを有し、サーバは電力供給エリアごとの監視制御データを有している。
【０００３】
このような電力系統監視制御システムでは、各制御所は独自の電力系統監視制御システムで定義される独自のデータベースに従って管轄の電力系統を監視制御するので、一つの制御所が他の制御所の電力系統監視制御システムの代行運転をしたり、またはバックアップ運転をすることが困難である。
【０００４】
そこで、複数の制御所の電力系統監視制御装置のデータベースを、代表する１個所の制御所の電力系統監視制御装置または別途設置したデータセンタにて一元管理し、複数の制御所の電力系統監視制御装置のデータベースのメンテナンスをまとめて実施するとともに、夜間等の比較的運転員にとって負荷の軽い時間帯において、大画面表示装置を使用して、他の制御所の電力系統監視制御装置の代行運転または他の電力系統監視制御装置の故障時におけるバックアップ運転が容易に行えるようにしたものがある（例えば、特許文献１参照）。
【先行技術文献】
【特許文献】
【０００５】
【特許文献１】特許第３８２４５０７号公報
【発明の概要】
【発明が解決しようとする課題】
【０００６】
しかし、特許文献１のものでは、他の制御所の電力系統監視制御装置の代行運転または他の電力系統監視制御装置の故障時におけるバックアップ運転が容易に行えるが、複数の制御所の電力系統監視制御装置のデータベースを一元管理しなければならない。また、代行運転にあっては、代行される制御所の設定情報を代行する制御所に送信する必要があり、制御権の移行の管理も必要となるので、システムが複雑となりコストも高くなる。
【０００７】
他の制御所の電力系統監視制御装置の代行運転が必要となるのは、他の制御所の電力系統監視制御装置が故障した場合に限られない。例えば、震災により制御所の建屋内への出入りができなくなることがあるが、そのような場合、建屋内の電力系統監視制御装置は健全に動作していても運転員は制御所内の建屋に入れないので、電力系統監視制御装置による運転操作を行うことができなくなる。このような場合を想定して、予備機を設置したりするとコスト高となる。
【０００８】
本発明の目的は、システム構成を複雑とすることなく費用も低コストで他の制御所の代行運転を行うことができる電力系統監視制御システムを提供することである。
【課題を解決するための手段】
【０００９】
請求項１の発明に係る電力系統監視制御システムは、電力系統の複数の制御所にそれぞれ設けられ、電力供給エリアごとに監視制御データを有し前記電力供給エリアの電力系統の監視制御を行うサーバと；前記電力系統の複数の制御所にそれぞれ設けられ前記サーバにＬＡＮ接続され、前記サーバの監視制御データに基づき運転員が電力系統の監視制御の運転を行うための入出力装置を管理する卓装置と；前記電力系統の複数の制御所のうち相互に代行運転を行う制御所間に設けられ、代行運転される制御所の前記サーバの監視制御データ及び代行運転する制御所の前記入出力装置からの運転操作データを前記制御所間で送受信する光ケーブルと；前記相互に代行運転を行う制御所に設けられ、前記代行運転される制御所では前記卓装置と前記入出力装置との接続を切り離して前記卓装置を前記送受信器に接続し、前記代行運転する制御所では前記卓装置と前記入出力装置との接続を切り離して前記入出力装置を前記送受信器に接続する切替器とを備えたことを特徴とする。
【００１０】
請求項２の発明に係る電力系統監視制御システムは、請求項１の発明において、前記光ケーブルは２重化したことを特徴とする。
【発明の効果】
【００１１】
請求項１の発明によれば、電力系統の複数の制御所のうち相互に代行運転を行う制御所間に光ケーブルを設け、光ケーブルを介して、代行運転される制御所のサーバの監視制御データ及び代行運転する制御所の入出力装置からの運転操作データを送受信し、相互に代行運転を行う制御所のうち、代行運転される制御所では卓装置と入出力装置との接続を切り離して卓装置を送受信器に接続する切替器を有し、代行運転する制御所では卓装置と入出力装置との接続を切り離して入出力装置を送受信器に接続する切替器を有するので、代行運転される制御所のサーバや卓装置が健全である限りは、代行運転される制御所の卓装置を代行運転する制御所側に切り替えるだけで、代行運転する制御所の入出力装置を用いて代行運連される制御所の代行運転を行うことができる。従って、システム構成を複雑とすることなく費用も低コストで済む。
【００１２】
請求項２の発明によれば、光ケーブルは２重化しているので、代行運転される制御所のサーバの監視制御データ及び代行運転する制御所の入出力装置からの運転操作データの送受信の信頼性が向上する。
【図面の簡単な説明】
【００１３】
【図１】本発明の実施形態に係る電力系統監視制御システムの一例を示す構成図。
【図２】本発明の実施形態に係る電力系統監視制御システムのＡ制御所が代行運転する制御所でありＢ制御所が代行運転される制御所でありＡ制御所がＢ制御所を代行運転している場合の一例を示す構成図。
【図３】本発明の実施形態に係る電力系統監視制御システムのＡ制御所が代行運転する制御所でありＢ制御所が代行運転される制御所でありＡ制御所が自己のＡ制御所を運転している場合の一例を示す構成図。
【図４】本発明の実施形態に係る電力系統監視制御システムのＢ制御所が代行運転する制御所でありＡ制御所が代行運転される制御所でありＢ制御所がＡ制御所を代行運転している場合の一例を示す構成図。
【図５】本発明の実施形態に係る電力系統監視制御システムのＢ制御所が代行運転する制御所でありＡ制御所が代行運転される制御所でありＢ制御所が自己のＢ制御所を運転している場合の一例を示す構成図。
【発明を実施するための形態】
【００１４】
以下、本発明の実施形態を説明する。図１は本発明の実施形態に係る電力系統監視制御システムの一例を示す構成図である。電力系統には電力供給エリアごとに複数の制御所１１が設けられているが、図１ではＡ制御所１１ＡとＢ制御所１１Ｂとの二つの制御所を示している。Ａ制御所１１ＡとＢ制御所１１Ｂとは、相互に代行運転を行う制御所であるとする。
【００１５】
Ａ制御所１１Ａには、自己が受け持つ電力供給エリアの電力系統の監視制御を行うサーバ１２Ａを有している。サーバ１２Ａは、図示を省略するが自己が受け持つ電力供給エリアの監視制御データを有している。
【００１６】
制御所１１Ａの卓装置１３Ａはサーバ１２ＡにＬＡＮ接続され、サーバ１２Ａの監視制御データに基づき、運転員が電力系統の監視制御の運転を行うための入出力装置１４Ａを管理するものである。入出力装置１４Ａは、例えば、電力供給エリアの系統図や電力供給の状態などを表示する表示装置１５Ａ１〜１５Ａ３、運転操作指令を卓装置１３Ａを介してサーバ１２Ａに出力するキーボード１６Ａやマウス１７Ａなどである。
【００１７】
また、制御所１１ＡはＢ制御所１１Ｂとデータの送受信を行う送受信器１８Ａを有し、卓装置１３Ａと入出力装置１４Ａ、入出力装置１４Ａと送受信器１８Ａ、送受信器１８Ａと卓装置１３Ａの接続を切り替えるための切替器１９Ａを有している。図１では切替器１９Ａは卓装置１３Ａと入出力装置１４Ａとを接続した場合を示しており、入出力装置１４Ａから自己のサーバ１２Ａに運転指令を入力し、自己の電力供給エリアの電力系統の監視制御を行う場合を示している。
【００１８】
Ｂ制御所１１Ｂについても同様に、サーバ１２Ｂ、卓装置１３Ｂ、入出力装置１４Ｂを有し、入出力装置１４Ｂは、表示装置１５Ｂ１〜１５Ｂ３、キーボード１６Ｂ、マウス１７Ｂなどを有している。さらに、送受信器１８Ｂ、切替器１９Ｂを有し、図１では切替器１９Ｂは卓装置１３Ｂと入出力装置１４Ｂとを接続した場合を示しており、入出力装置１４Ｂから自己のサーバ１２Ｂに運転指令を入力し、自己の電力供給エリアの電力系統の監視制御を行う場合を示している。
【００１９】
Ａ制御所１１Ａの送受信器１８ＡとＢ制御所１１Ｂの送受信器１８Ｂとは、２重化された光ケーブル２０Ａ、２０Ｂで接続されている。２重化しているのは送受信データの信頼性を高めるためであり、必ずしも２重化構成でなくともよい。
【００２０】
図２は、本発明の実施形態に係る電力系統監視制御システムのＡ制御所１１Ａが代行運転する制御所でありＢ制御所１１Ｂが代行運転される制御所でありＡ制御所１１ＡがＢ制御所１１Ｂを代行運転している場合の一例を示す構成図である。代行運転されるＢ制御所１１Ｂでは、切替器１９Ｂは卓装置１３Ｂと送受信器１８Ｂとを接続している。すなわち、図１の状態から、卓装置１３Ｂと入出力装置１４Ｂとの接続を切り離して、卓装置１３Ｂを送受信器１８Ｂに接続し、卓装置１３Ｂ及び送受信器１８Ｂを介して代行運転されるＢ制御所１１Ｂのサーバ１２Ｂを代行運転するＡ制御所１８Ａの送受信器１８Ａに接続している。
【００２１】
一方、代行運転する制御所１８Ａでは切替器１９Ａは入出力装置１４Ａと送受信器１８Ａとを接続している。すなわち、図１の状態から、卓装置１３Ａと入出力装置１４Ａとの接続を切り離して、入出力装置１４Ａを送受信器１８Ａに接続し、送受信器１８Ａを介して、代行運転するＡ制御所１８Ａの入出力装置１４Ａを代行運転されるＢ制御所１１Ｂの送受信器１８Ｂに接続している。
【００２２】
これにより、代行運転するＡ制御所１８Ａの入出力装置１４Ａにより、代行運転されるＢ制御所１１Ｂの送受信器１８Ｂを介して卓装置１３Ｂに運転操作指令を出力し、代行運転するＡ制御所１８Ａの入出力装置１４ＡによりＢ制御所１１Ｂを代行運転する。このように、代行運転されるＢ制御所１１Ｂのサーバ１２Ｂや卓装置１３Ｂが健全である限りは、代行運転するＡ制御所１１Ａの入出力装置１４Ａを用いて代行運転を行うことができるので、システム構成を複雑とすることなく費用も低コストで済む。
【００２３】
図３は、本発明の実施形態に係る電力系統監視制御システムのＡ制御所１１Ａが代行運転する制御所でありＢ制御所１１Ｂが代行運転される制御所でありＡ制御所が自己のＡ制御所を運転している場合の一例を示す構成図である。
【００２４】
図２に示すように、Ａ制御所１１ＡがＢ制御所１１Ｂを代行運転している場合は、代行運転するＡ制御所１８Ａの入出力装置１４Ａは、切替器１９Ａにより代行運転されるＢ制御所１８Ｂ側（送受信器１８Ａ）に接続されるが、Ｂ制御所１８Ｂの代行運転中において、自己のＡ制御所１８Ａの運転操作を必要とする場合がある。その場合は、図３に示すように、図２に示す状態から、切替器１９Ａにより自己の入出力装置１４Ａを自己の卓装置１３Ａに接続する。これにより、自己のＡ制御所１８Ａの運転操作を行う。すなわち、切替器１９Ａにより自己の入出力装置１４Ａを自己の卓装置１３ＡとＢ制御所１８Ｂ側（送受信器１８Ａ）との間で切替を行い、自己のＡ制御所１８Ａの運転操作と代行運転されるＢ制御所１８Ｂの運転操作を切り替える。
【００２５】
図４は、本発明の実施形態に係る電力系統監視制御システムのＢ制御所１１Ｂが代行運転する制御所でありＡ制御所１１Ａが代行運転される制御所でありＢ制御所１１ＢがＡ制御所１１Ａを代行運転している場合の一例を示す構成図である。図２の場合と同様に、代行運転されるＡ制御所１１Ａでは、切替器１９Ａは卓装置１３Ａと送受信器１８Ａとを接続している。代行運転する制御所１８Ｂでは切替器１９Ｂは入出力装置１４Ｂと送受信器１８Ｂとを接続している。  そして、代行運転するＢ制御所１８Ｂの入出力装置１４Ｂにより、代行運転されるＢ制御所１１Ａの送受信器１８Ａを介して卓装置１３Ａに運転操作指令を出力し、代行運転するＢ制御所１８Ｂの入出力装置１４ＢによりＡ制御所１１Ａを代行運転する。
【００２６】
図５は、本発明の実施形態に係る電力系統監視制御システムのＢ制御所１１Ｂが代行運転する制御所でありＡ制御所１１Ａが代行運転される制御所でありＢ制御所が自己のＢ制御所を運転している場合の一例を示す構成図である。
【００２７】
図４に示すように、Ｂ制御所１１ＢがＡ制御所１１Ａを代行運転している場合は、代行運転するＢ制御所１８Ｂの入出力装置１４Ｂは、切替器１９Ｂにより代行運転されるＡ制御所１８Ａ側（送受信器１８Ｂ）に接続されるが、Ａ制御所１８Ａの代行運転中において、自己のＢ制御所１８Ｂの運転操作を必要とする場合がある。その場合は、図５に示すように、図４に示す状態から、切替器１９Ｂにより自己の入出力装置１４Ｂを自己の卓装置１３Ｂに接続する。これにより、自己のＢ制御所１８Ｂの運転操作を行う。
【００２８】
以上述べたように、本発明の実施形態によれば、相互に代行運転を行う制御所に送受信器１８及び切替器１９を設け送受信器１８を光ケーブル２０で接続し、入出力装置１４を切り替えるだけで、代行運転する制御所の入出力装置を用いて代行運転される制御所の代行運転を行うことができる。従って、システム構成を複雑とすることなく費用も低コストで済む。
【００２９】
これにより、震災により制御所の建屋内への出入りができない場合であっても、制御所のサーバや卓装置が健全である限りは、他の制御所の入出力装置を用いて代行運転を行うことができ、電力供給の監視制御を継続できる。
【００３０】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３１】
１１…制御所、１２…サーバ、１３…卓装置、１４…入出力装置、１５…表示装置、１６…キーボード、１７…マウス、１８…送受信器、１９…切替器、２０…光ケーブル
【図１】
2018133979.tif 000003
【図２】
2018133979.tif 000004
【図３】
2018133979.tif 000005
【図４】
2018133979.tif 000006
【図５】
2018133979.tif 000007